(57)【特許請求の範囲】
【請求項１】
走査信号が入力される複数の第１走査線及び画像信号が入力される複数の第１信号線を有し、画像を表示する第１表示パネルと、
走査信号が入力される複数の第２走査線及び画像信号が入力される複数の第２信号線を有し、画像を表示する第２表示パネルと、
前記第１信号線と前記第２信号線の間に配置され、前記第２表示パネルがカラー表示を行う場合は前記第２信号線を選択して対応する前記第１信号線に接続し、前記第２表示パネルが白黒表示を行う場合は前記第２信号線の全てを対応する前記第１信号線に接続する選択接続回路と、
を備えることを特徴とする平面表示装置。
【発明の詳細な説明】
【技術分野】
【０００１】
本発明は、平面表示装置に関する。
【背景技術】
【０００２】
液晶表示装置に代表される平面表示装置は、薄型、軽量かつ低消費電力であることから、各種機器の表示装置として用いられている。特に、折り畳み式の携帯電話端末等の機器には、電子メールの文章や写真等の画像を表示するメインパネルとしての第１表示パネルと現在時刻や電池残量等の画像を表示するサブパネルとしての第２表示パネルとをフレキシブル配線基板により接続した平面表示装置が用いられている（例えば、特許文献１参照）。
【０００３】
このような平面表示装置では、第１表示パネルが、複数の第１走査線、複数の第１信号線、及び、複数の画像信号供給線と各第１信号線とを選択接続する第１アナログスイッチ回路を備えており、第２表示パネルも、複数の第２走査線、複数の第２信号線、及び、各画像信号供給線に接続された各第１信号線と各第２信号線とを選択接続する第２アナログスイッチ回路を備えている。第１アナログスイッチ回路は、複数の第１信号線をＲ（赤）、Ｇ（緑）及びＢ（青）の３つの第１信号線群に区分しており、同様に、第２アナログスイッチ回路も、複数の第２信号線をＲ、Ｇ及びＢの３つの第２信号線群に区分している。
【０００４】
第１表示パネルによるフルカラー表示を行う場合には、第１アナログスイッチ回路は、３つの第１信号線群から１つの第１信号線群を選択し各画像信号供給線に接続する選択接続をＲ、Ｇ及びＢの順番で繰り返す。また、第２表示パネルによるフルカラー表示を行う場合にも、第２アナログスイッチ回路は、３つの第２信号線群から１つの第２信号線群を選択し、各画像信号供給線に接続された第１信号線群に接続する選択接続をＲ、Ｇ及びＢの順番で繰り返す。一方、第２表示パネルにより例えば現在時刻や電池残量等の画像を表示する場合等には、第２表示パネルによるモノクロ表示を行うことがある。
【特許文献１】特開２００３−３２３１６４号公報
【発明の開示】
【発明が解決しようとする課題】
【０００５】
しかしながら、第２表示パネルによるモノクロ表示を行う場合にも、第２アナログスイッチ回路は、フルカラー表示を行う場合と同様に前述の選択接続をＲ、Ｇ及びＢの順番で繰り返し行うため、平面表示装置の消費電力は増加してしまう。
【０００６】
本発明は、上記に鑑みてなされたものであり、その目的は、第２表示パネルでの信号線選択接続の繰り返しに起因する消費電力の増加を防止することができる平面表示装置を提供することである。
【課題を解決するための手段】
【０００７】
本発明の実施の形態に係る特徴は、平面表示装置において、走査信号が入力される複数の第１走査線及び画像信号が入力される複数の第１信号線を有し、画像を表示する第１表示パネルと、走査信号が入力される複数の第２走査線及び画像信号が入力される複数の第２信号線を有し、画像を表示する第２表示パネルと、前記第１信号線と前記第２信号線の間に配置され、前記第２表示パネルがカラー表示を行う場合は前記第２信号線を選択して対応する前記第１信号線に接続し、前記第２表示パネルが白黒表示を行う場合は前記第２信号線の全てを対応する前記第１信号線に接続する選択接続回路と、を備えることである。
【０００８】
本発明の実施の形態に係る特徴では、第２表示パネルによる第２表示を行う場合、複数の画像信号供給線に接続された第１信号線群の各々の第１信号線に対応させて全ての第２信号線を接続することによって、第２表示として例えばモノクロ表示を行う場合等、全ての第２信号線が対応する第１信号線群の各々の第１信号線に接続された状態になり、第２表示パネルでの第２信号線の選択接続が繰り返されることはなく、モノクロ表示が行われる。
【発明の効果】
【０００９】
本発明によれば、第２表示パネルでの信号線選択接続の繰り返しに起因する消費電力の増加を防止することができる平面表示装置を提供することができる。
【発明を実施するための最良の形態】
【００１０】
本発明を実施するための最良の一形態について図面を参照して説明する。本発明の実施の形態に係る平面表示装置１は、折り畳み式の表示装置である。
【００１１】
図１及び図２に示すように、本発明の実施の形態に係る平面表示装置１は、画像を表示するメインパネルとしての第１表示パネル２、画像を表示するサブパネルとしての第２表示パネル３、及び第１表示パネル２と第２表示パネル３とを電気的に接続するフレキシブル配線基板４等により構成されている。ここで、第１表示パネル２は２４０×３２０画素の表示パネルであり、第２表示パネル３は１２０×１２０画素の表示パネルである。
【００１２】
第１表示パネル２は、走査信号が入力される複数の第１走査線Ｇ（Ｇ１〜Ｇ３２０）及び画像信号が入力される複数の第１信号線Ｓ（ＳＲ１、ＳＧ１、ＳＢ１、…ＳＲ２４０、ＳＧ２４０、ＳＢ２４０）を有する第１表示部２１と、各第１走査線Ｇをそれぞれ駆動する走査線駆動回路２２と、各第１信号線Ｓをそれぞれ駆動する信号線駆動回路２３と、信号線駆動回路２３に対して各第１信号線Ｓを選択接続する第１選択接続回路２４とを備えている。
【００１３】
第２表示パネル３は、走査信号が入力される複数の第２走査線ＧＧ（ＧＧ１〜ＧＧ１２０）及び画像信号が入力される複数の第２信号線ＳＳ（ＳＳＲ１、ＳＳＧ１、ＳＳＢ１、…ＳＳＲ１２０、ＳＳＧ１２０、ＳＳＢ１２０）を有する第２表示部３１と、信号線駆動回路２３に対し各第１信号線Ｓを介して各第２信号線ＳＳを選択接続する第２選択接続回路３２とを備えている。なお、第１表示パネル２の走査線駆動回路２２は、各第２走査線ＧＧもそれぞれ駆動する。
【００１４】
フレキシブル配線基板４は、第１表示部２１の各第１信号線ＳＧ６１〜ＳＧ１８０と第２選択接続回路３２とを電気的に接続する複数の接続線４ａを備えている。このフレキシブル配線基板４により、平面表示装置１は折り畳み可能に形成されている。なお、平面表示装置１が折り畳まれた状態における第１表示パネル２と第２表示パネル３との間には、バックライト装置（図示せず）が設けられている。
【００１５】
第１表示部２１は、バックライト装置からの光を表示に使用する透過型の表示部である。この第１表示部２１は、互いに交差させてマトリクス状に設けられた各第１走査線Ｇ及び各第１信号線Ｓ、各第１走査線Ｇ及び各第１信号線Ｓに交差点毎に複数のスイッチ素子２１ａを介して接続された複数の画素電極２１ｂ及び複数の補助容量２１ｃ、各画素電極２１ｂに共通して対向する対向電極２１ｄ、各画素電極２１ｂと対向電極２１ｄとの間に設けられた表示層２１ｅ等により構成されている（図１参照）。なお、対向電極２１ｄは対向基板（図示せず）に設けられており、この対向基板には、各画素電極２１ｂに対応付けてＲ、Ｇ及びＢのいずれかの色層（図示せず）が設けられている。
【００１６】
第２表示部３１は、バックライト装置からの光を表示に使用し、さらに外光を反射させて表示に使用する半透過型の表示部である。このように外光を表示に用いることにより、バックライトを用いずに画像を表示することが可能になるため、消費電力を大幅に削減することができる。この第２表示部３１も、互いに交差させてマトリクス状に設けられた各第２走査線ＧＧ及び各第２信号線ＳＳ、各第２走査線ＧＧ及び各第２信号線ＳＳに交差点毎に複数のスイッチ素子３１ａを介して接続された複数の画素電極３１ｂ及び複数の補助容量３１ｃ、各画素電極３１ｂに共通して対向する対向電極３１ｄ、各画素電極３１ｂと対向電極３１ｄとの間に設けられた表示層３１ｅ等により構成されている（図１参照）。なお、対向電極３１ｄは対向基板（図示せず）に設けられており、この対向基板には、各画素電極３１ｂに対応付けてＲ、Ｇ及びＢのいずれかの色層（図示せず）が設けられている。
【００１７】
スイッチ素子２１ａ、３１ａとしては、例えば３端子を有する薄膜トランジスタを用いる。このトランジスタは、そのゲート電極を第１走査線Ｇ（又は第２走査線ＧＧ）に接続し、そのソース電極を第１信号線Ｓ（又は第２信号線ＳＳ）に接続し、さらに、そのドレイン電極を画素電極２１ｂ及び補助容量２１ｃ（又は画素電極３１ｂ及び補助容量３１ｃ）に接続することによって設けられている。画素電極２１ｂとしては、光が透過する透過電極を用い、画素電極３１ｂとしては、光が透過する透過電極及び光を反射する反射電極を用いる。また、補助容量２１ｃ、３１ｃとしては、例えばコンデンサを用いる。表示層２１ｅ、３１ｅは、例えば液晶材料により液晶層として形成されている。
【００１８】
ここで、第１信号線ＳＲ１〜ＳＲ２４０及び第２信号線ＳＳＲ１〜ＳＳＲ１２０は、Ｒ（赤）に対応する画素電極２１ｂ、３１ｂに画像信号を書き込むための信号線である。また、第１信号線ＳＧ１〜ＳＧ２４０及び第２信号線ＳＳＧ１〜ＳＳＧ１２０は、Ｇ（緑）に対応する画素電極２１ｂ、３１ｂに画像信号を書き込むための信号線である。さらに、第１信号線ＳＢ１〜ＳＢ２４０及び第２信号線ＳＳＢ１〜ＳＳＢ１２０は、Ｂ（青）に対応する画素電極２１ｂ、３１ｂに画像信号を書き込むための信号線である。
【００１９】
走査線駆動回路２２は、第１表示パネル２による表示を行う場合、各第１走査線Ｇに対し１水平走査期間毎（１走査線毎）に第１走査信号を順次出力して各第１走査線Ｇをそれぞれ駆動し、第２表示パネル３による表示を行う場合、各第２走査線ＧＧに対し１水平走査期間毎（１走査線毎）に第２走査信号を順次出力して各第２走査線ＧＧをそれぞれ駆動する回路である。ここで、走査信号はスイッチ素子２１ａ、３１ａを駆動（オン）する信号である。
【００２０】
信号線駆動回路２３は、第１表示パネル２による表示を行う場合、各第１信号線Ｓに対し第１走査信号に同期させて画像信号をそれぞれ出力して各第１信号線Ｓをそれぞれ駆動し、第２表示パネル３による表示を行う場合、各第２信号線ＳＳに対し第２走査信号に同期させて画像信号をそれぞれ出力して各第２信号線ＳＳをそれぞれ駆動する回路である。ここで、画像信号は表示データに基づいて画素電極２１ｂ、３１ｂに電圧を与える信号である。
【００２１】
また、信号線駆動回路２３は、第１選択接続回路２４に対し制御信号として信号線選択信号Ｐ１、Ｐ２、Ｐ３を出力し、第２選択接続回路３２に対し制御信号として信号線選択信号Ｐ４、Ｐ５、Ｐ６を出力する回路である。この信号線駆動回路２３は、第１選択接続回路２４及び第２選択接続回路３２を駆動制御する制御回路として機能する。
【００２２】
さらに、信号線駆動回路２３は、表示データを記憶する記憶部２３ａを備えている。記憶部２３ａとしては、例えばＳＲＡＭ（Static Random Access Memory）を用いる。また、信号線駆動回路２３には、表示データに基づいて画像信号を供給するための画像信号供給線Ｋ（Ｋ１〜Ｋ２４０）が接続されている。
【００２３】
第１選択接続回路２４は、信号線選択信号Ｐ１、Ｐ２、Ｐ３に基づいて、各画像信号供給線Ｋ１〜Ｋ２４０に対応させて第１信号線Ｓを選択接続する回路である。この第１選択接続回路２４は、各第１信号線ＳをＲ、Ｇ及びＢに対応させて色毎の３つの第１信号線群に区分し、信号線選択信号Ｐ１、Ｐ２、Ｐ３に基づいて３つの第１信号線群から１つの第１信号線群を選択し各画像信号供給線Ｋ１〜Ｋ２４０に接続する選択接続をＲ、Ｇ及びＢの順番で繰り返す。
【００２４】
なお、第１信号線ＳＲ１〜ＳＲ２４０がＲの第１信号線群であり、第１信号線ＳＧ１〜ＳＧ２４０がＧの第１信号線群であり、第１信号線ＳＢ１〜ＳＢ２４０がＢの第１信号線群である。
【００２５】
詳述すると、第１選択接続回路２４は、Ｒの第１信号線群に対応するスイッチであって信号線選択信号Ｐ１に応じてオン／オフする複数のアナログスイッチ２４ａ、Ｇの第１信号線群に対応するスイッチであって信号線選択信号Ｐ２に応じてオン／オフする複数のアナログスイッチ２４ｂ、及びＢの第１信号線群に対応するスイッチであって信号線選択信号Ｐ３に応じてオン／オフする複数のアナログスイッチ２４ｃを備えている（図２参照）。
【００２６】
アナログスイッチ２４ａ、２４ｂ、２４ｃとしては、例えば薄膜トランジスタを用いる。アナログスイッチ２４ａ、２４ｂ、２４ｃのゲート電極には、信号線選択信号Ｐ１、Ｐ２、Ｐ３が入力される。
【００２７】
信号線選択信号Ｐ１がハイレベル（Ｈｉｇｈ電位）となった場合には、各アナログスイッチ２４ａがオンし、Ｒの第１信号線群の各第１信号線ＳＲ１〜ＳＲ２４０が各画像信号供給線Ｋ１〜Ｋ２４０に接続される。また、信号線選択信号Ｐ２がハイレベルとなった場合には、各アナログスイッチ２４ｂがオンし、Ｇの第１信号線群の各第１信号線ＳＧ１〜ＳＧ２４０が各画像信号供給線Ｋ１〜Ｋ２４０に接続される。さらに、信号線選択信号Ｐ３がハイレベルとなった場合には、各アナログスイッチ２４ｃがオンし、Ｂの第１信号線群の各第１信号線ＳＢ１〜ＳＢ２４０が各画像信号供給線Ｋ１〜Ｋ２４０に接続される。このように各画像信号供給線Ｋに接続された各第１信号線Ｓには、画像信号が供給される。
【００２８】
第２選択接続回路３２は、信号線選択信号Ｐ４、Ｐ５、Ｐ６に基づいて、各画像信号供給線Ｋ６１〜Ｋ１８０に接続された各第１信号線Ｓに対応させて第２信号線ＳＳを選択接続する回路である。この第２選択接続回路３２は、各第２信号線ＳＳをＲ、Ｇ及びＢに対応させて色毎の３つの第２信号線群に区分し、信号線選択信号Ｐ４、Ｐ５、Ｐ６に基づいて３つの第２信号線群から１つの第２信号線群を選択し、各画像信号供給線Ｋ６１〜Ｋ１８０に接続された各第１信号線ＳＧ６１〜ＳＧ１８０に接続する選択接続をＲ、Ｇ及びＢの順番で繰り返す。
【００２９】
なお、第２信号線ＳＳＲ１〜ＳＳＲ１２０がＲの第２信号線群であり、第２信号線ＳＳＧ１〜ＳＳＧ１２０がＧの第２信号線群であり、第２信号線ＳＳＢ１〜ＳＳＢ１２０がＢの第２信号線群である。
【００３０】
詳述すると、第２選択接続回路３２は、Ｒの第２信号線群に対応するスイッチであって信号線選択信号Ｐ４に応じてオン／オフする複数のアナログスイッチ３２ａ、Ｇの第２信号線群に対応するスイッチであって信号線選択信号Ｐ５に応じてオン／オフする複数のアナログスイッチ３２ｂ、及びＢの第２信号線群に対応するスイッチであって信号線選択信号Ｐ６に応じてオン／オフする複数のアナログスイッチ３２ｃを備えている（図２参照）。
【００３１】
アナログスイッチ３２ａ、３２ｂ、３２ｃとしては、例えば薄膜トランジスタを用いる。アナログスイッチ３２ａ、３２ｂ、３２ｃのゲート電極には、信号線選択信号Ｐ４、Ｐ５、Ｐ６が入力される。
【００３２】
信号線選択信号Ｐ４がハイレベル（Ｈｉｇｈ電位）となった場合には、各アナログスイッチ３２ａがオンし、Ｒの第２信号線群の各第２信号線ＳＳＲ１〜ＳＳＲ１２０が各第１信号線ＳＲ６１〜ＳＲ１８０を介して各画像信号供給線Ｋ６１〜Ｋ１８０に接続される。また、信号線選択信号Ｐ５がハイレベルとなった場合には、各アナログスイッチ３２ｂがオンし、Ｇの第２信号線群の各第２信号線ＳＳＧ１〜ＳＳＧ１２０が各第１信号線ＳＧ６１〜ＳＧ１８０を介して各画像信号供給線Ｋ６１〜Ｋ１８０に接続される。さらに、信号線選択信号Ｐ６がハイレベルとなった場合には、各アナログスイッチ３２ｃがオンし、Ｂの第２信号線群の各第２信号線ＳＳＢ１〜ＳＳＢ１２０が各第１信号線ＳＢ６１〜ＳＢ１８０を介して各画像信号供給線Ｋ６１〜Ｋ１８０に接続される。このように各画像信号供給線Ｋに各第１信号線Ｓを介して接続された各第２信号線ＳＳには、画像信号が供給される。
【００３３】
次に、このような平面表示装置１の表示動作について説明する。平面表示装置１は、第１表示パネル２によるフルカラー表示、第２表示パネル３によるフルカラー表示（第１表示）、及び第２表示パネル３によるモノクロ表示（第２表示）を行う。
【００３４】
第１表示パネル２によるフルカラー表示を行う場合には、信号線駆動回路２３は、信号線選択信号Ｐ１、Ｐ２、Ｐ３のレベルを制御し、第１選択接続回路２４に、３つの第１信号線群から１つの第１信号線群を選択し各画像信号供給線Ｋ１〜Ｋ２４０に接続する選択接続をＲ、Ｇ及びＢの順番で順次実行させ、さらに、信号線選択信号Ｐ４、Ｐ５、Ｐ６のレベルを制御し、第２選択接続回路３２に、第１信号線ＳＧ６１〜ＳＧ１８０と第２信号線ＳＳ（ＳＳＲ１、ＳＳＧ１、ＳＳＢ１、…ＳＳＲ１２０、ＳＳＧ１２０、ＳＳＢ１２０）との接続の切断を実行させる。
【００３５】
これに応じて、第１選択接続回路２４は、３つの第１信号線群から１つの第１信号線群を選択し各画像信号供給線Ｋ１〜Ｋ２４０に接続する選択接続をＲ、Ｇ及びＢの順番で繰り返し、第２選択接続回路３２は、第１信号線ＳＧ６１〜ＳＧ１８０と第２信号線ＳＳとの接続を切断固定する。
【００３６】
詳述すると、信号線駆動回路２３は、第１走査信号に同期させて１水平走査期間内に信号線選択信号Ｐ１、信号線選択信号Ｐ２及び信号線選択信号Ｐ３をその順番で順次ハイレベル／ローレベルに設定し、さらに、信号線選択信号Ｐ４、信号線選択信号Ｐ５及び信号線選択信号Ｐ６を全てローレベルに固定する。
【００３７】
これに応じて、図３に示すように、第１選択接続回路２４における各アナログスイッチ２４ａ、各アナログスイッチ２４ｂ及び各アナログスイッチ２４ｃはその順番で順次オン／オフ駆動し（ＳＷ駆動）、第２選択接続回路３２における各アナログスイッチ３２ａ、各アナログスイッチ３２ｂ及び各アナログスイッチ３２ｂは全てオフする（ＳＷ全ＯＦＦ）。なお、記憶部２３ａには、図３に示すような写真等のカラー画像が表示データとして記憶されている。
【００３８】
第１表示パネル２の第１表示部２１では、第１選択接続回路２４における各アナログスイッチ２４ａ、各アナログスイッチ２４ｂ及び各アナログスイッチ２４ｃが１水平走査期間内に順次オン／オフ駆動することにより、１水平走査期間内にＲ、Ｇ及びＢに対応する３回の書き込みが行われる。これにより、第１走査線Ｇ毎にＲ、Ｇ及びＢに対応する画像信号が書き込まれ、図３に示すような写真等のカラー画像が表示される。また、第２表示パネル３の第２表示部３１では、第２選択接続回路３２における各アナログスイッチ３２ａ、各アナログスイッチ３２ｂ及び各アナログスイッチ３２ｂが全てオフすることにより、各第１信号線ＳＧ６１〜ＳＧ１８０と各第２信号線ＳＳとの接続が切断固定される。
【００３９】
次いで、第２表示パネル３によるフルカラー表示を行う場合には、信号線駆動回路２３は、信号線選択信号Ｐ１、Ｐ２、Ｐ３のレベルを制御し、第１選択接続回路２４に、各画像信号供給線Ｋ１〜Ｋ２４０と各第１信号線ＳＧ６１〜ＳＧ１８０との接続の固定を実行させ、さらに、信号線選択信号Ｐ４、Ｐ５、Ｐ６のレベルを制御し、第２選択接続回路３２に、３つの第２信号線群から１つの第２信号線群を選択し、各画像信号供給線Ｋ６１〜Ｋ１８０に接続された第１信号線ＳＧ６１〜ＳＧ１８０に接続する選択接続をＲ、Ｇ及びＢの順番で順次実行させる。
【００４０】
これに応じて、第１選択接続回路２４は、各画像信号供給線Ｋ１〜Ｋ２４０と各第１信号線ＳＧ６１〜ＳＧ１８０との接続を固定し、第２選択接続回路３２は、３つの第２信号線群から１つの第２信号線群を選択し、各画像信号供給線Ｋ６１〜Ｋ１８０に接続された第１信号線ＳＧ６１〜ＳＧ１８０に接続する選択接続をＲ、Ｇ及びＢの順番で繰り返す。
【００４１】
詳述すると、信号線駆動回路２３は、信号線選択信号Ｐ１及び信号線選択信号Ｐ３をローレベルに固定し、信号線選択信号Ｐ２をハイレベルに固定し、第２走査信号に同期させて１水平走査期間内に信号線選択信号Ｐ４、信号線選択信号Ｐ５及び信号線選択信号Ｐ６をその順番で順次ハイレベル／ローレベルに設定する。
【００４２】
これに応じて、図４に示すように、第１選択接続回路２４における各アナログスイッチ２４ａ及び各アナログスイッチ２４ｃはオフし、各アナログスイッチ２４ｂはオンし（ＳＷＯＮ）、第２選択接続回路３２における各アナログスイッチ３２ａ、各アナログスイッチ３２ｂ及び各アナログスイッチ３２ｃはその順番で順次オン／オフ駆動する（ＳＷ駆動）。なお、記憶部２３ａには、図４に示すような写真等のカラー画像が表示データとして記憶されている。
【００４３】
第１表示パネル２の第１表示部２１では、第１選択接続回路２４の各アナログスイッチ２４ｂがオンすることにより、各画像信号供給線Ｋ１〜Ｋ２４０と各第１信号線ＳＧ６１〜ＳＧ１８０との接続が固定される。また、第２表示パネル３の第２表示部３１では、第２選択接続回路３２における各アナログスイッチ３２ａ、各アナログスイッチ３２ｂ及び各アナログスイッチ３２ｃは１水平走査期間内に順次オン／オフ駆動することにより、１水平走査期間内にＲ、Ｇ及びＢに対応する３回の書き込みが行われる。これにより、第２走査線ＧＧ毎にＲ、Ｇ及びＢに対応する画像信号が書き込まれ、図４に示すような写真等のカラー画像が表示される。
【００４４】
一方、第２表示パネル３によるモノクロ表示を行う場合には、信号線駆動回路２３は、信号線選択信号Ｐ１、Ｐ２、Ｐ３のレベルを制御し、第１選択接続回路２４に、各画像信号供給線Ｋ１〜Ｋ２４０と各第１信号線ＳＧ６１〜ＳＧ１８０との接続の固定を実行させ、さらに、信号線選択信号Ｐ４、Ｐ５、Ｐ６のレベルを制御し、第２選択接続回路３２に、各画像信号供給線Ｋ１〜Ｋ２４０に接続された各第１信号線ＳＧ６１〜ＳＧ１８０と第２信号線ＳＳとの全接続を実行させる。
【００４５】
これに応じて、第１選択接続回路２４は、各画像信号供給線Ｋ１〜Ｋ２４０と各第１信号線ＳＧ６１〜ＳＧ１８０との接続を固定し、第２選択接続回路３２は、各画像信号供給線Ｋ１〜Ｋ２４０に接続された各第１信号線ＳＧ６１〜ＳＧ１８０と全ての第２信号線ＳＳとを対応させて接続固定する。
【００４６】
詳述すると、信号線駆動回路２３は、信号線選択信号Ｐ１及び信号線選択信号Ｐ３をローレベルに固定し、信号線選択信号Ｐ２をハイレベルに固定し、信号線選択信号Ｐ４、信号線選択信号Ｐ５及び信号線選択信号Ｐ６をハイレベルに固定する。
【００４７】
これに応じて、図５に示すように、第１選択接続回路２４における各アナログスイッチ２４ａ及び各アナログスイッチ２４ｃはオフし、各アナログスイッチ２４ｂはオンし（ＳＷＯＮ）、第２選択接続回路３２における各アナログスイッチ３２ａ、各アナログスイッチ３２ｂ及び各アナログスイッチ３２ｃは全てＯＮする（ＳＷ全ＯＮ）。なお、記憶部２３ａには、図５に示すような文字（例えば現在時刻）等のモノクロ画像が表示データとして記憶されている。
【００４８】
第１表示パネル２の第１表示部２１では、第１選択接続回路２４の各アナログスイッチ２４ｂがオンすることにより、各画像信号供給線Ｋ１〜Ｋ２４０と各第１信号線ＳＧ６１〜ＳＧ１８０との接続が固定される。また、第２表示パネル３の第２表示部３１では、第２選択接続回路３２における各アナログスイッチ３２ａ、各アナログスイッチ３２ｂ及び各アナログスイッチ３２ｃが全てＯＮした状態で、１水平走査期間内に１回の書き込みが行われる。これにより、第２走査線ＧＧ毎に画像信号が書き込まれ、図５に示すような文字等のモノクロ画像が表示される。すなわち、第２表示パネル３の１画素を構成するＲ、Ｇ及びＢの各画素電極３１ｂには、同電位の書き込みが行われる。
【００４９】
以上説明したように本発明の実施の形態によれば、第２表示パネル３によるモノクロ表示を行う場合、各画像信号供給線Ｋ１〜Ｋ２４０に接続された各第１信号線ＳＧ６１〜ＳＧ１８０に対応させて全ての第２信号線ＳＳを接続することによって、全ての第２信号線ＳＳが対応する各第１信号線ＳＧ６１〜ＳＧ１８０に接続された状態になり、第２表示パネル３の１画素を構成するＲ、Ｇ及びＢの各画素電極３１ｂに同電位の書き込みが行われ、モノクロ表示が行われる。このようにして、第２表示パネル３によるモノクロ表示を行う場合には、フルカラー表示を行う場合のように各第２信号線ＳＳの選択接続が繰り返されることがなく、モノクロ表示が行われるので、各第２信号線ＳＳの選択接続の繰り返しに起因する消費電力の増加を防止することができる。
【００５０】
また、第２選択接続回路３２は、各第２信号線ＳＳを色毎の３つの第２信号線群に区分し、第２表示パネル３によるフルカラー表示を行う場合、各第２信号線ＳＳを対応する各第１信号線Ｓ６１〜Ｓ１８０に第２信号線群毎に順次接続することから、高画質のカラー表示を行うことができる。
【００５１】
また、第１選択接続回路２４は第１表示パネル２に設けられており、第２選択接続回路３２は第２表示パネル３に設けられていることから、第１選択接続回路２４及び第２選択接続回路３２を設置するために他の基板等を設ける必要がなくなるので、平面表示装置１の小型化を実現することができ、さらに、部品点数及び部品取付工程数等を削減し、低価格化を実現することができる。
【００５２】
なお、本発明は、前述の実施の形態に限るものではなく、その要旨を逸脱しない範囲において種々変更可能である。
【００５３】
例えば、前述の実施の形態においては、第１表示パネル２と第２表示パネル３とを別体として設けているが、これに限るものではなく、例えば、図６に示すように、第１表示パネル２と第２表示パネル３とを一体の表示パネル５１として設けるようにしてもよい。この場合には、第１表示パネル２と第２表示パネル３とを電気的に接続するフレキシブル配線基板４を設ける必要がなくなるので、部品点数及び部品取付工程数等を削減し、低価格化を実現することができる。
【００５４】
また、前述の実施の形態においては、各第１信号線Ｓ及び各第２信号線ＳＳをそれぞれ３つの信号線群に区分しているが、これに限るものではなく、例えば４つの信号線群に区分するようにしてもよい。
【００５５】
また、前述の実施の形態においては、表示層２１ｅ、３１ｅを液晶材料により液晶層として形成しているが、これに限るものではなく、例えば発光体により形成し、平面表示装置１を有機ＥＬディスプレイとして形成するようにしてもよい。
【図面の簡単な説明】
【００５６】
【図１】本発明の実施の一形態に係る平面表示装置の概略構成を示す平面図である。
【図２】図１に示す平面表示装置の概略構成を示す回路図である。
【図３】図１及び図２に示す平面表示装置の第１表示パネルによるフルカラー表示動作を説明するための説明図である。
【図４】図１及び図２に示す平面表示装置の第２表示パネルによるフルカラー表示動作を説明するための説明図である。
【図５】図１及び図２に示す平面表示装置の第２表示パネルによるモノクロ表示動作を説明するための説明図である。
【図６】図１及び図２に示す平面表示装置の一変形例の概略構成を示す平面図である。
【符号の説明】
【００５７】
１        平面表示装置
２        第１表示パネル
３        第２表示パネル
２４      第１選択接続回路
３２      第２選択接続回路
Ｇ        第１走査線
ＧＧ      第２走査線
Ｓ        第１信号線
ＳＳ      第２信号線
【図１】
0004817754.tif 000002
【図２】
0004817754.tif 000003
【図３】
0004817754.tif 000004
【図４】
0004817754.tif 000005
【図５】
0004817754.tif 000006
【図６】
0004817754.tif 000007